(57)【特許請求の範囲】
【請求項１】
像担持体と、この像担持体上に潜像を形成する潜像形成手段と、前記像担持体上の潜像をトナーを含む現像剤で現像する現像手段とを有する画像形成装置において、
トナー平均粒径が異なる複数種のトナー収納手段をセット可能であり、
前記潜像形成手段は、前記像担持体上に露光エネルギーを付与することにより潜像を形成する露光手段を有し、
異なるトナー平均粒径毎の作像条件として、前記異なるトナー平均粒径毎の前記露光エネルギーとドット径との関数を記憶した記憶手段と、セットされた前記トナー収納手段の特定のトナー平均粒径に基づいて、前記記憶手段から対応する前記関数を選択し、その関数に基づいて前記露光エネルギーを調整して前記ドット径を制御する制御手段とを備えた制御装置が搭載されており、
前記トナー収納手段は、該トナー収納手段に充填されているトナー平均粒径に関する情報が記録され、画像形成装置本体側の前記制御装置と通信可能な情報記録媒体を有し、
前記制御装置は、前記情報記録媒体からの前記情報に基づいて、前記制御を実行し、
前記トナー収納手段は、前記現像手段に対して着脱自在なトナーカートリッジを構成しており、
新たにセットした前記トナーカートリッジ内のトナーのトナー平均粒径が、交換前の前記トナーカートリッジ内のトナーのそれと異なる場合に、前記交換前のトナーカートリッジ内のトナーを前記現像手段と前記トナーカートリッジとの間に配設されたトナー補給経路内から排出するトナー排出モードを自動的に実行し、その後に、前記新たにセットしたトナーカートリッジ内のトナーを前記トナー補給経路内へと補給可能な状態にするトナー入れ替えモードが自動的に実行可能であり、
前記現像手段は、画像形成装置本体に対して着脱自在な現像ユニットを構成しており、
前記制御装置は、前記現像ユニットを交換した後に、前記新たにセットしたトナーカートリッジからのトナーと前記交換後の現像ユニット内のトナーとが同じであるか否かを判断し、同じである場合には前記交換後の現像ユニットと前記トナー補給経路へ平均粒径が同じであるトナーを補給するトナー補給モードを自動的に実行し、同じでない場合にはユーザが別の前記現像ユニットに交換するよう操作部に配設されている表示手段に表示することを特徴とする画像形成装置。
【請求項２】
請求項１記載の画像形成装置において、
前記トナー補給モード実行後、濃度調整モードを自動的に実行することを特徴とする画像形成装置。
【請求項３】
請求項１または２記載の画像形成装置において、
前記トナーカートリッジには、前記トナーの他、キャリアが含まれていることを特徴とする画像形成装置。
【請求項４】
請求項１または２記載の画像形成装置において、
前記現像ユニットは、前記画像形成装置本体に対して着脱自在な現像カートリッジ、または少なくとも前記像担持体と前記現像手段とが一体化され、前記画像形成装置本体に対して着脱自在なプロセスカートリッジを含むことを特徴とする画像形成装置。
【請求項５】
請求項１または２記載の画像形成装置において、
異なるトナー平均粒径のトナーを収納した複数種のトナーカートリッジを種類毎に互換可能にセット可能であることを特徴とする画像形成装置。
【請求項６】
請求項１または２記載の画像形成装置において、
異なるトナー平均粒径のトナーを収納した複数種のトナーカートリッジを同時に使用可能なセット部を有することを特徴とする画像形成装置。
【発明の詳細な説明】
【技術分野】
【０００１】
本発明は、複写機、ファクシミリ、プリンタ、プロッタ等またはそれら複数の機能を備えた複合機等の画像形成装置に関する。
【背景技術】
【０００２】
従来、像担持体を介して記録紙等の転写材上に画像を形成する画像形成装置が知られている（例えば、特許文献１および２参照）。これら画像形成装置を含め、一般的な電子写真装置では、帯電手段により一様に帯電された像担持体の表面を、潜像形成手段・露光手段で生成された光ビームによって露光して静電潜像を形成し、この静電潜像を現像手段から供給されるトナーによって現像・可視像化してトナー像を得、次いで像担持体表面に形成されたトナー像を転写手段によって転写材としての記録紙等に転写し、さらに定着手段によって定着して印刷物を得るように構成されている。
なお、特許文献１、２記載の技術では、画質に関して、サプライとして異なるトナーを使用したときのプロセス調整を以下のように行っている。すなわち、特許文献１記載の技術では、ドット径に対してキャリア径、トナー径、感光体膜厚の関係を規定している。特許文献２記載の技術では、現像剤カートリッジに現像剤情報を記録し、画像形成条件に反映することにより、トナー製造ロットばらつきの影響を調整している。
【０００３】
上記露光・潜像形成工程において、像担持体としての感光体表面を露光する光ビームは、レーザダイオード（ＬＤ）で発生した光を集光して得たものであり、スキャナモータに取付けられて高速回転する多面体のポリゴンミラーで反射して偏向走査し、Ｆθレンズで所定の径に絞って感光体表面に照射されて該感光体表面を走査露光する光スポットを形成する。静電潜像を現像する現像器の現像剤は、２成分現像方式の場合はキャリアとトナーの混合物であり、１成分現像方式の場合はトナーであり、トナーが静電潜像に付着してトナー像を形成する。
【０００４】
このような電子写真装置において、光スポットで露光して形成される感光体表面の静電潜像を現像して得られるトナー像を定着した印字画像は、高精細の画像ではトナー粒径の大きさの影響がでやすくなり、小さいトナーの方が微小ドットの再現性が良く高画質となることが予想されていた。この詳細内容に関しては、本発明者が行った確認試験と共に後述の実施形態を説明する前に説明する。しかし、トナー粒径が小さくなる（例えば３、４μｍ）と、製造コストが高くなるというデメリットがあり、高画質よりもランニングコスト低減を望むユーザにはトナー大粒径（例えば９μｍ）が好まれる。以下、この明細書において、「トナーの大きさ」、「トナーサイズ」、「トナーの粒径」、「トナー平均粒径」というときは、特に断らない限り、具体的にはトナー体積平均粒径を意味する。
【０００５】
一方、現像手段とトナー収納手段との間に配設されたトナー補給経路内のトナー入れ替えについては、以下のような時に行われる技術が知られている（特許文献３ないし６参照）。特許文献３記載の技術では、低画像面積等でトナーが劣化した場合に、画像面積と現像動作時間等により劣化したトナーと新品トナーの入れ替えを自動的に行う。特許文献４記載の技術では、長期の保管により現像剤の帯電量が低下した場合、初期剤設定後にトナー入れ替えモードを行う。特許文献５記載の技術では、転写ベルト上のフォトセンにより、地汚れトナーの発生（＝剤劣化レベル）を検知し、劣化したトナーと新品トナーの入れ替えを自動的に行う。特許文献６記載の技術では、感光体ベルト上のトナー量を検知する透過濃度センサの値により現像剤の劣化を判断し、自動交換手段により現像装置内の現像剤を交換する。
【０００６】
【特許文献１】特開平５−２１６３３０号公報
【特許文献２】特開２００３−１８６３５４号公報
【特許文献３】特許第３７５７６１２号公報
【特許文献４】特開２００１−１００５０５号公報
【特許文献５】特開２００３−２１５８６７号公報
【特許文献６】特開平１０−１８６８３１号公報
【発明の開示】
【発明が解決しようとする課題】
【０００７】
しかしながら、通常、画像形成装置・機械毎で使用できるトナーは１つであるため、トナー粒径に応じた作像条件の調整が行われない。従って、同じ画像形成装置に粒径の異なるトナーをセットし使用すると、ドット径がずれてしまい、同じ画像が出せなくなってしまうという問題点がある。
【０００８】
一方、画像形成装置・機械新品時だけでなく、経時でも使用したいトナーをユーザが自由に選択したいという要望がある。そのためには次の問題点を解決する必要がある。
すなわち、近年進んでいる画像形成装置・機械の小型化、大量出力や低コストを望むユーザ向けにトナー大容量化およびユーザの操作性改善等の理由により、現像ユニット（装置本体に対して着脱可能な現像装置を意味する）とトナーカートリッジとの配置位置の自由度確保のために、現像ユニットとトナーカートリッジとが離れているものが多い。その場合、現像ユニットとトナーカートリッジとだけを別のものに変えても、その間に配設されているトナー搬送経路が古いまま（古いトナー平均粒径のまま）になってしまうという問題点がある。
【０００９】
そこで、本発明は、上述した問題点・事情に鑑みてなされたものであり、トナー平均粒径が異なるトナーでも、そのトナー粒径に応じた最適な作像条件を設定して使用することができる画像形成装置を提供することを第１の目的とする。
さらに、現像ユニットとトナーカートリッジとが別体の場合であっても、経時でも使用したいトナー（トナー収納手段）をユーザが自由に選択することが可能な画像形成装置を提供することを第２の目的とする。
【課題を解決するための手段】
【００１０】
上述した課題を解決するとともに上述した目的を達成するために、請求項ごとの発明では、以下のような特徴ある手段・構成を採っている。
請求項１記載の発明は、像担持体と、この像担持体上に潜像を形成する潜像形成手段と、前記像担持体上の潜像をトナーを含む現像剤で現像する現像手段とを有する画像形成装置において、トナー平均粒径が異なる複数種のトナー収納手段をセット可能であり、前記潜像形成手段は、前記像担持体上に露光エネルギーを付与することにより潜像を形成する露光手段を有し、異なるトナー平均粒径毎の作像条件として、前記異なるトナー平均粒径毎の前記露光エネルギーとドット径との関数を記憶した記憶手段と、セットされた前記トナー収納手段の特定のトナー平均粒径に基づいて、前記記憶手段から対応する前記関数を選択し、その関数に基づいて前記露光エネルギーを調整して前記ドット径を制御する制御手段とを備えた制御装置が搭載されており、前記トナー収納手段は、該トナー収納手段に充填されているトナー平均粒径に関する情報が記録され、画像形成装置本体側の前記制御装置と通信可能な情報記録媒体を有し、前記制御装置は、前記情報記録媒体からの前記情報に基づいて、前記制御を実行し、前記トナー収納手段は、前記現像手段に対して着脱自在なトナーカートリッジを構成しており、新たにセットした前記トナーカートリッジ内のトナーのトナー平均粒径が、交換前の前記トナーカートリッジ内のトナーのそれと異なる場合に、前記交換前のトナーカートリッジ内のトナーを前記現像手段と前記トナーカートリッジとの間に配設されたトナー補給経路内から排出するトナー排出モードを自動的に実行し、その後に、前記新たにセットしたトナーカートリッジ内のトナーを前記トナー補給経路内へと補給可能な状態にするトナー入れ替えモードが自動的に実行可能であり、前記現像手段は、画像形成装置本体に対して着脱自在な現像ユニットを構成しており、前記制御装置は、前記現像ユニットを交換した後に、前記新たにセットしたトナーカートリッジからのトナーと前記交換後の現像ユニット内のトナーとが同じであるか否かを判断し、同じである場合には前記交換後の現像ユニットと前記トナー補給経路へ平均粒径が同じであるトナーを補給するトナー補給モードを自動的に実行し、同じでない場合にはユーザが別の前記現像ユニットに交換するよう操作部に配設されている表示手段に表示することを特徴とする。
【００１１】
請求項２記載の発明は、請求項１記載の画像形成装置において、前記トナー補給モード実行後、濃度調整モードを自動的に実行することを特徴とする。
【００１２】
請求項３記載の発明は、請求項１または２記載の画像形成装置において、前記トナーカートリッジには、前記トナーの他、キャリアが含まれていることを特徴とする。
【００１３】
請求項４記載の発明は、請求項１または２記載の画像形成装置において、前記現像ユニットは、前記画像形成装置本体に対して着脱自在な現像カートリッジ、または少なくとも前記像担持体と前記現像手段とが一体化され、前記画像形成装置本体に対して着脱自在なプロセスカートリッジを含むことを特徴とする。
【００１５】
請求項５記載の発明は、請求項１または２記載の画像形成装置において、異なるトナー平均粒径のトナーを収納した複数種のトナーカートリッジを種類毎に互換可能にセット可能であることを特徴とする。
【００１６】
請求項６記載の発明は、請求項１または２記載の画像形成装置において、異なるトナー平均粒径のトナーを収納した複数種のトナーカートリッジを同時に使用可能なセット部を有することを特徴とする。
【発明の効果】
【００２５】
本発明によれば、上記課題を解決して新規な画像形成装置を提供することができる。主な発明の効果を挙げれば、以下のとおりである。
請求項１記載の発明によれば、前記構成により、トナー平均粒径が異なるトナーでも、そのトナー粒径に応じた最適な作像条件を設定して使用することができるとともに、現像ユニットとトナーカートリッジとが別々に交換可能な場合であっても、経時でも使用したいトナー（例えば高画質トナーまたは低コストトナー）をユーザが自由に選択することができる。
【００２６】
請求項２記載の発明によれば、前記構成により、トナーを入れ替えた直後でも、安定した画像濃度となり、良好な画像品質となる。
【００２８】
請求項５記載の発明によれば、前記構成により、トナー色変化による混色やトナー形状変化による不具合を未然に防ぐことができる。
【００２９】
請求項６記載の発明によれば、前記構成により、各色現像手段または各色現像ユニット間でトナー平均粒径の異なる場合でも単一の制御装置でトナー粒径毎の最適な制御ができる。
【発明を実施するための最良の形態】
【００３５】
以下、図を参照して、本発明を実施するための最良の形態および実施例を含む実施形態を説明する。実施形態および変形例等に亘り、同一の機能を有する部材や構成部品等の構成要素については、判別が可能な限り同一符号を付すことにより一度説明した後ではその説明を省略する。図および説明の簡明化を図るため、図に表されるべき構成要素であっても、その図において特別に説明する必要がないものは適宜断わりなく省略することがある。公開特許公報等の構成要素をそのまま引用して説明する場合は、その符号に括弧を付して示し、各実施形態等のそれと区別するものとする。
以下、「発明を実施するための最良の形態」欄において、第１の実施形態を「参考例」と、第１の実施形態の変形例１を「参考変形例１」と、第１の実施形態の変形例２を「参考変形例２」と、第１の実施形態の変形例３を「参考変形例３」と、第１の実施形態の変形例４を「参考変形例４」と、第２の実施形態を「第１の実施形態」と、それぞれ読み替えることとする。
【００３６】
まず、図１を参照して、本発明を適用する画像形成装置の全体構成および動作を説明する。図１は、画像形成装置として一般的な電子写真装置を示している。同図の電子写真装置では、帯電手段としての帯電ローラ２により一様に帯電した像担持体としてのドラム状の感光体１（以下、「感光体ドラム１」という）の表面を、光ビーム３で露光して静電潜像を形成する。そして、感光体ドラム１上に形成された静電潜像を、現像手段としての現像装置８（以下、「現像器８」ともいう）における現像スリーブ（現像ローラ）９から供給されるトナーＴによって現像・可視像化してトナー像を得、続いて転写手段としての転写ローラ１０によって、図示しない給紙部からレジストローラ対を経由して所定のタイミングで搬送されてくるシート状記録媒体としての記録紙Ｓに転写し、さらに定着手段としての定着ローラおよび加圧ローラからなる定着装置１１によって定着して印刷物を得、図示しない排紙トレイ等に排出するように構成されている。
【００３７】
感光体ドラム１の表面を露光する光ビーム３は、光源としてのレーザダイオード（ＬＤ）４で発生した光を集光して得たものであり、スキャナモータ５に取付けられて高速回転する多面体のポリゴンミラー６で反射して偏向走査し、Ｆθレンズ７で所定の径に絞って感光体ドラム１の表面に照射されて該感光体表面を走査露光する光スポットを形成する。静電潜像を現像する現像器８の現像剤は、２成分現像方式の場合はキャリアとトナーの混合物であり、１成分現像方式の場合はトナーであり、トナーＴが静電潜像に付着してトナー像を形成する。
レーザダイオード４、スキャナモータ５、ポリゴンミラー６、Ｆθレンズ７、折り返しミラー等は、像担持体としての感光体表面に潜像を形成する潜像形成手段のうちで露光手段・露光装置を構成している。
【００３８】
一部上述したが、感光体ドラム１の周りには、図１中矢印で示す回転方向の順に、図１のほぼ真上に配置された帯電ローラ２、露光装置からの露光である光ビーム３、現像器８、転写ローラ１０、図示しないクリーニング装置が配置されていて、これらによって画像形成部が構成されている。
現像器８は、感光体ドラム１に対向して配置され、２成分現像方式の場合ではトナーＴとトナーＴを保持するキャリア（図示せず）とを含む二成分現像剤を担持し、該現像剤を感光体ドラム１との間に形成される現像領域に搬送し、内部に磁石（図示せず）を有する現像剤担持体としての現像スリーブ９（現像ローラ）を備え、感光体ドラム１の表面上に形成される静電潜像を現像スリーブ９から供給されるトナーＴで現像する構成を具備している。現像器８は、上記現像スリーブ９の他に、図示しない攪拌ローラ等と、現像器８のハウジング側壁に固着され現像スリーブ９の外周面上に担持された現像剤を所定の層厚に規制する現像剤層厚規制部材としてのドクターブレード１２等とから主に構成されている。現像器８は、図１以外の図においてはドクターブレード１２等を省略し簡略的に示す。
【００３９】
今回、実際にトナーサイズ４種類を試作し、露光エネルギーを変化させたときの１ドット径の関係を検討する確認試験を行った。この確認試験においては、株式会社リコー製「ｉｍａｇｉｏ  ＭＰ  Ｃ３５００」を使用し、露光エネルギーを変化させるために図１に示したレーザダイオード４の点灯時間を変えて行った。また、現像条件は、後述するメカ条件・現像剤の仕様と同様の条件で実施した。
上記確認試験結果のグラフを図４に示し、その写真を図５に示す。この図５の写真において、ほぼ丸状の黒い部位がトナーが付着された１ドットを示しており、背景の白黒の濃淡模様は色付きの写真のために表われたものであって、トナーのドットとは無関係であることを付記しておく。
【００４０】
図４および図５から分かるように、トナーが小さいほど、ドットの再現性がよく、丸いドット形状となった。また、トナー粒径により狙いドットとするための適正な露光エネルギーが異なることが分かった。高精細になるほど、トナー粒径の大きさの影響が出やすくなり、狙いドット径（潜像）より現像して得られるトナー像のドット径が小さくなることが確認できた。
これをドット画像の潜像、現像形成で説明する。光スポットで露光して形成される感光体表面の静電潜像と現像バイアスによりポテンシャルが決まり、図２（ａ）に示すようにドットの潜像はＡ１の大きさになる。露光エネルギーを下げると、図２（ｂ）に示すように潜像部のドット径がＡ３部→Ａ２部→Ａ１部と小さくなる。
トナーはドット潜像部内のＡ１部に現像されるため、大きな粒径のトナーＴでは図３（ａ）に示すように、現像後のドットエッジ部に隙間ができ、ドット径Ｃ１は小さくなる（図３（ａ）のＢ１部が、潜像Ａ１より小さくなる）。これに対し、図３（ａ）に示したトナーＴと比較して、図３（ｂ）に示すようにトナーＴの粒径が半分に小さくなると、現像後のドットエッジ部は隙間が少なくなり、トナーのドット径Ｃ２は大きくなる（図３（ｂ）のＢ２部が、潜像Ａ１より小さく、Ｂ１部より大きくなる）。すなわち、Ｃ１＜Ｃ２である。以上説明した確認試験により得られた結果を、以下の実施形態等に反映した。
【００４１】
（第１の実施形態）
図６〜図８を参照して、第１の実施形態を説明する。
図６に括弧を付して示すように、印字速度（１分当りのコピー枚数：ｃｐｐ）や画像形成装置の機械内部レイアウト形状が異なるコピー機種：Ｘ１、Ｙ１、Ｚ１に対応して、トナー収納手段としてのトナーカートリッジ２７（Ｘ１）、２７（Ｙ１）、２７（Ｚ１）が用いられる。以下、それぞれのコピー機種：Ｘ１、Ｙ１、Ｚ１に対応したトナーカートリッジであることが判別できるときには、括弧を省略してトナーカートリッジ２７ともいう（後述の変形例等でも同様）。これらコピー機種：Ｘ１、Ｙ１、Ｚ１では、トナーカートリッジ２７の形状も異なっているが、図７に示すように、このＸ１シリーズの画像形成装置本体側は何れのコピー機種：Ｘ１、Ｙ１、Ｚ１のトナーカートリッジ２７も搭載可能に構成されている。すなわち、図６および図７に示すように、コピー機種：Ｘ１、Ｙ１、Ｚ１に対応したトナーカートリッジ２７は、その何れもが画像形成装置本体側に配設されたトナー補給装置を構成するトナーカートリッジ受け部２５に対して着脱自在に構成されている。
【００４２】
各トナーカートリッジ２７には、このカートリッジ内に充填されているトナーに関する各種情報・データ、すなわちトナー平均粒径（トナー体積平均粒径）や色付きトナーの場合にはその色に関する情報・データが予め記録された情報記録媒体３０が貼着されている。情報記録媒体３０は、電子部品としてのＩＤチップやＩＣタグ等からなる。一方、画像形成装置本体側のトナーカートリッジ受け部２５には、装着されたトナーカートリッジ２７の情報記録媒体３０と通信可能に、情報記録媒体３０に記録されたトナーに関する各種情報・データを読み取ることが可能な情報認識手段３１が配設されている。また、情報記録媒体３０は、情報認識手段３１を介して後述の制御装置と通信可能に構成されている。
情報記録媒体３０および情報認識手段３１の具体例としては、例えば特開２００３−１８６３５４号公報の段落「００１８」〜「００２０」に記載されているタグメモリ（５０）およびアンテナ基板（６０）等や、共振回路を利用したものなどが挙げられるが、公知の全てのものを対象にコスト等を勘案して用いてもよい。
【００４３】
情報認識手段３１は、制御装置３７と電気的に接続されている。制御装置３７は、それぞれ図示しない、ＣＰＵ（中央演算処理装置）、図示しないＩ／Ｏ（入出力）ポート、ＲＯＭ（読み出し専用記憶装置）、ＲＡＭ（読み書き可能な記憶装置）およびタイマ等を備え、それらが信号バスによって接続された構成を有するマイクロコンピュータを具備している。なお、本発明の制御装置としては、上記した制御装置３７に情報認識手段３１を加えて構成してもよい。
前記ＣＰＵは、上記入力ポートおよび入力回路等を介して、情報認識手段３１と電気的に接続されている。また前記ＣＰＵは、前記出力ポートを介して、露光エネルギーを調整するため（前記レーザダイオードの点灯時間を調整するため）、図示しないレーザダイオード駆動回路に、また画像形成装置を構成する上記図示しない各装置部の制御対象駆動部分にそれぞれ電気的に接続されていて、これらに指令信号を送信する。前記ＲＡＭは、前記ＣＰＵでの計算結果を一時記憶する他、信号の入出力を行う。
【００４４】
前記ＲＯＭは、異なるトナー平均粒径毎の作像条件を記憶する記憶手段、詳しくは異なるトナー平均粒径毎の露光エネルギーとドット径の関数を記憶を記憶する記憶手段としての機能を有する。前記ＲＯＭには、前記ＣＰＵが後述の制御機能を発揮するための図８に示されている関係データがデータテーブル等で予め記憶されている。
前記ＣＰＵは、セットされたトナーカートリッジ２７（トナー収納手段）の特定のトナー平均粒径に基づいて、前記ＲＯＭから対応する作像条件としてのドット径制御関数（関数（モード））を呼び出して選択し、その作像条件に応じた画像形成を実行させる、より詳しくはその関数で設定される露光エネルギーを調整して潜像部に形成されるドット径を制御する第１の制御手段としての機能を有する。
【００４５】
図７において、例えばコピー機種Ｘ１に係る新品のトナーカートリッジ２７をトナーカートリッジ受け部２５に装着すると、情報認識手段３１によってトナーカートリッジ２７の情報記録媒体３０に記録されている情報記録が読み取られ、前回のトナーカートリッジと種類の異なるトナーカートリッジ２７が装着された場合は、情報記録媒体３０に記録されているトナー種情報に基づき、制御装置３７は作像条件を設定することとなる。
本実施形態例では、図８に示すように、作像条件をドット径制御関数：ｆ（ｘ）とする。ドット径制御関数：ｆ（ｘ）は、図４に示したような露光エネルギーと１ドット径の関数式で表される。
図８の図表に示すように、トナー種Ｍのときはドット径制御関数ｆ（１）を、トナー種Ｎのときはドット径制御関数ｆ（２）を、トナー種Ｏのときはドット径制御関数ｆ（３）を、トナー種Ｐのときはドット径制御関数ｆ（４）を、トナー種Ｑのときはドット径制御関数ｆ（５）を選び設定する。前回と同じトナーカートリッジの場合は、ドット径制御関数の設定は前回のままである。トナー種Ｍ、Ｎ、Ｏ、Ｐ、Ｑは、例えばトナー体積平均粒径が順に７、６、５、４、３μｍである。
【００４６】
以上説明したとおり、第１の実施形態によれば、トナー平均粒径が異なる複数種のトナー収納手段としてのトナーカートリッジ２７（Ｘ１）、２７（Ｙ１）、２７（Ｚ１）がセット可能であることにより、単一の画像形成装置においても複数種のトナー平均粒径のトナーに対応して使用可能となると共に、ユーザの必要性に応じて、例えば高画質には小粒径トナーを、ランニングコスト低減には大粒径トナーを使用することができる。
また、単一の制御装置３７に複数種のトナーに対応可能なドット径制御関数（制御モード）を備えているので、単一の画像形成装置において複数種のトナー平均粒径に対応して最適の画像形成制御ができると共に複数機種に同一の制御装置３７を用いることができる。
【００４７】
（第１の実施形態の変形例１）
図９を参照して、第１の実施形態の変形例１を説明する。変形例１は、制御装置は、同一シリーズの画像形成装置の機種に搭載可能となっていることを特徴としている。
同一シリーズのコピー機種Ｘ１、Ｘ２、Ｘ３の場合、図９に示すように、画像形成装置の機械内部レイアウトやトナーカートリッジ２７の形状が同じであるが、トナーカートリッジ２７に充填されているトナーが異なる場合がある。これは高画質を望む市場要求が多く、トナー製造技術や低コスト技術が向上し、粉砕トナーから重合トナーへとトナー小粒径化が進むからである。
例えば、既に市場に出ているシリーズ機のうちで旧型タイプ（Ｘ１機）でも、シリーズ機の新機種（Ｘ３機）でも、トナーカートリッジ２７毎に貼着されている情報記録媒体３０に記録してあるトナー種情報に基づき、図７に示したと同様の制御装置構成によってドット径制御関数値を設定する。これにより、上述の効果を奏する。
【００４８】
図６や図９に示したトナーカートリッジ２７には、トナーの他にキャリアも含まれている。そのときの画像形成装置は、トナーとキャリアの混合物である現像剤が現像装置８に補給され、かつ余剰の現像剤が排出されて、キャリアの自動交換がなされる。
【００４９】
（第１の実施形態の変形例２）
図１０を参照して、第１の実施形態の変形例２を説明する。変形例２は、異なるトナー平均粒径のトナーを収納した複数種のトナー収納手段を種類毎に互換可能にセット可能であることを特徴としている。
カラー機であれば、トナーカートリッジ２７を色の種類毎に互換可能にセット可能にするものである。トナーの色が異なる場合は、トナーカートリッジ２７を非互換にする。また、トナー種が粉砕トナーの場合は、粉砕トナーだけがセットできるように互換性を持たせる。例えば、図１０に示すように、トナー種Ｍが粉砕トナーでその粒径が７μｍ、トナー種Ｎが粉砕トナーでその粒径が６μｍというようにする。
変形例２においても、トナーカートリッジ２７毎に貼着されている情報記録媒体（図示せず）に記録してあるトナー種情報に基づき、図７に示したと同様の制御装置構成によってドット径制御関数値を設定する。これにより、上述の効果を奏する。
【００５０】
（第１の実施形態の変形例３）
図１１を参照して、第１の実施形態の変形例３を説明する。変形例３は、異なるトナー平均粒径のトナーを収納した複数種のトナー収納手段を同時に使用可能なセット部を有することを特徴としている。
図１１に示すように、３種類のトナー（例えばトナー粒径４、５、６μｍ）が個別に充填されたトナーカートリッジ２７ａ、２７ｂ、２７ｃが画像形成装置本体に配設されたセット部としてのトナーカートリッジ受け部２５にセット可能であり、それぞれのトナーカートリッジ２７ａ、２７ｂ、２７ｃからトナー補給タンク部２６に３種類の異なるトナーを補給可能であり、使用時は切り替えて補給タンク部２６、現像器８に補給するものである。
図１１に示したトナーカートリッジ２７ａ、２７ｂ、２７ｃに貼着されている情報記録媒体３０に記録されているトナー種情報に基づき、図７に示したと同様の制御装置構成によってドット径制御関数値を設定する。これにより、上述の効果を奏する。
【００５１】
（第１の実施形態の変形例４）
図１２および図１３を参照して、第１の実施形態の変形例４を説明する。
図１２および図１３に示すように、本発明は、カラー機にも応用・適用できる。両図に示す画像形成装置は、フルカラー画像形成装置であり、４色のイエロー（Ｙ）、マゼンタ（Ｍ）、シアン（Ｃ）、ブラック（Ｂｋ）の各色毎に像担持体としての感光体ドラム、現像手段としての現像装置等を具備し、各色のトナー像をシート状記録媒体の一例としての転写材（記録紙）に順次転写することにより、フルカラー画像を形成するタンデム方式の装置構成である。
【００５２】
フルカラー画像形成装置本体内には、４個の感光体ドラム１Ｙ、１Ｍ、１Ｃ、１Ｂｋが図において右から左へとこの順に並んで配設されている。各感光体ドラム１Ｙ、１Ｍ、１Ｃ、１Ｂｋには、イエロー（Ｙ）、マゼンタ（Ｍ）、シアン（Ｃ）、ブラック（Ｂｋ）の４色の画像を形成するための画像形成部が配置されている。これらの画像形成部によりフルカラー画像を形成する。各色の画像形成部は、それぞれ同じ構成および動作を行うようになっているため、最右方部に配置されたイエロー（Ｙ）の画像形成部についてのみ説明し、他の画像形成部については同じ部分に同一のアラビア数字を付すとともにその色を表す英字を添えることで説明を省略する。
イエロー（Ｙ）の画像形成部は、感光体ドラム１Ｙと、この感光体ドラム１Ｙの周りに配設されイエロー（Ｙ）画像を繰り返し形成するための帯電手段としての帯電装置（図示せず）、図示を省略した露光装置から照射される光ビーム３Ｙ、現像手段としての現像器８Ｙ、クリーニング手段としてのクリーニング装置（図示せず）等から構成されている。
【００５３】
感光体ドラム１Ｙは、装置本体の図示しない筐体側板に両図矢印方向に回転自在に支持されている。前記露光装置は、レーザ光走査光学系（図示せず）を有していて、光ビーム３Ｙが一様に帯電された感光体ドラム１Ｙの表面に照射され走査される。
感光体ドラム１Ｙ、１Ｍ、１Ｃ、１Ｂｋの配置位置の両図において下方には、転写材の一例としての記録紙を吸着し搬送する搬送転写手段としての搬送転写ベルト１５が対向して張設されている。搬送転写ベルト１５は、駆動ローラ１６と従動ローラ１７との間に掛け渡されて図中矢印方向（反時計回り）に走行搬送するようになっている。
【００５４】
各感光体ドラム１Ｙ、１Ｍ、１Ｃ、１Ｂｋに対向する両図において下方には、搬送転写ベルト１５を挟んで接触転写手段としての転写ローラを備えた転写装置１０Ｙ、１０Ｍ、１０Ｃ、１０Ｂｋが配設されている。各転写装置１０Ｙ、１０Ｍ、１０Ｃ、１０Ｂｋは、各感光体ドラム１Ｙ、１Ｍ、１Ｃ、１Ｂｋ上に形成された各色のトナー像を搬送転写ベルト１５により静電吸着されて搬送される記録紙上に電界の作用で転写する周知の機能を有する。記録紙は、装置本体の下部に配設された複数の図示しない給紙部の何れか一つの給紙部が選択されることにより、図示しないレジスト手段としてのレジストローラ対（図示せず）によって所定のタイミングをとって搬送転写ベルト１５上に送り出される。
【００５５】
転写材搬送路の下流側である両図において装置本体の左方部には、搬送転写ベルト１５上から記録紙を分離するための図示しない分離装置が搬送転写ベルト１５を介して駆動ローラ１６に対向して設けられる。該分離装置の左側には記録紙に転写された各色のトナー像を溶融加圧定着するための定着ローラおよび加圧ローラを具備する定着装置（図示せず）が、さらに前記定着装置の上方には排紙ガイド板、排紙ローラ対（ともに図示せず）を介して、トナー画像の形成された記録紙を排出するための排紙トレイ（図示せず）を備えた排紙部が配設されている。
【００５６】
次に、フルカラー画像形成時の動作を説明する。
図示しない操作パネルのキー操作等によりフルカラー画像形成の信号が送信されると、イエロー（Ｙ）、シアン（Ｃ）、マゼンタ（Ｍ）、ブラック（Ｂｋ）の各画像形成部が所定のタイミングでそれぞれ作動して、各感光体ドラム１Ｙ、１Ｍ、１Ｃ、１Ｂｋ上に各色のトナー像が形成される。これをイエロー（Ｙ）の画像形成部で例示すると、感光体ドラム１Ｙが両図中矢印方向に回転するとともに、その外表面が図示しない帯電装置により一様に帯電された後、ＬＤから画像信号に応じてレーザ光３Ｙが照射され、図示しないポリゴンミラーにより走査されつつ感光体ドラム１Ｙ上に露光・結像されて、静電潜像が形成される。そして、静電潜像が形成された感光体ドラム１Ｙが現像装置８Ｙに対向すると、現像器８Ｙ内の現像スリーブ９Ｙにより現像器８Ｙ内の現像剤が感光体ドラム１Ｙと対向する現像ニップ領域へ搬送されることで、現像剤中のトナーが感光体ドラム１Ｙの表面に形成された静電潜像に供給・付着されて現像され、感光体ドラム１Ｙ上にイエロー（Ｙ）の顕像化されたトナー像が形成される。他色の画像形成部でも、イエロー（Ｙ）の画像形成部と同様にしてトナー像が形成される。
【００５７】
一方、図示しない給紙部の給紙カセットにセットされた記録紙は、給紙コロ（図示せず）により取り出され、転写材搬送路に沿って図示しないレジストローラ対に送られた後、前記レジストローラ対により、記録紙の先端が感光体ドラム１Ｙ上に形成された一色目のイエロー（Ｙ）のトナー像にタイミングを合わせて感光体ドラム１Ｙの転写部の転写領域に送られる。
一色目のイエロー（Ｙ）のトナー像転写位置において、転写装置１０Ｙにより形成される電界の作用で、イエロー（Ｙ）のトナー像が記録紙に転写され、その転写が行われると同時に、記録紙は搬送転写ベルト１５に静電吸着されて搬送転写ベルト１５により搬送される。このようにしてイエロー（Ｙ）のトナー像が転写された記録紙は、各色毎に順に設けられた転写装置１０Ｍ、１０Ｃ、１０Ｂｋと各感光体ドラム１Ｍ、１Ｃ、１Ｂｋとの間の転写位置に順次搬送され、各感光体ドラム１Ｍ、１Ｃ、１Ｂｋ上に形成されたシアン（Ｃ）のトナー像、マゼンタ（Ｍ）のトナー像、ブラック（Ｂｋ）のトナー像が記録紙上に順次転写される。こうして全ての色のトナー像が記録紙上に転写されることでフルカラーのトナー像が記録紙上に形成される。
【００５８】
フルカラーのトナー像が形成された記録紙は、前記分離装置により搬送転写ベルト１５から分離された後、前記定着装置へ送り込まれ、その定着装置によりフルカラーのトナー像が溶融加圧定着されてフルカラー画像が完成し、図示しない排紙部の排紙ローラ対を介して排紙トレイ（図示せず）上に排出される。
一方、図示しないクリーニング装置では、記録紙に転写し切れずに感光体ドラム１Ｙ表面に残った残留トナー等をクリーニングブレードにより除去される。クリーニング装置を通過した感光体ドラム１Ｙの表面は、その後、前記イエロー（Ｙ）の帯電装置により表面を一様に帯電され、次の画像形成工程を繰返す。これと同様の動作が、残りの各画像形成部でも同様に行われる。
【００５９】
上述した４連タンデム機で、各色現像器間で粒径の異なるトナーを使用する場合でも、図７に示したと同様の単一の制御装置で、トナー粒径毎の最適な制御が実行できることは無論である。図１２および図１３において、括弧を付して示す４〜６μｍは、各色毎の画像形成部にその色に対応したトナーを供給するトナーカートリッジ２７Ｂｋ、２７Ｃ、２７Ｍ、２７Ｙに収納されて用いられるトナーのトナー体積平均粒径を表している。
【００６０】
本発明を適用するカラー画像形成装置は、図１２および図１３に示したフルカラー画像形成装置に限らず、例えば４色のイエロー（Ｙ）、マゼンタ（Ｍ）、シアン（Ｃ）、ブラック（Ｂｋ）の各色毎に像担持体としての感光体、現像手段としての現像装置等を具備し、複数の感光体上に露光手段（光走査装置等）により静電潜像を形成するとともに、該静電潜像を像担持体毎に異なる色トナーで現像し、該各感光体上に形成されたトナー像を順次中間転写体上に重ねて転写した後、転写材に一括転写することによりカラー画像を得るフルカラー画像形成装置や２色以上のカラー画像形成装置にも適用できることは勿論である。
【００６１】
本発明のトナー収納手段は、上述したトナーカートリッジに限らず、図１４に示すように、トナーエンドとなった場合に現像器８の現像ユニット毎交換する現像カートリッジ２８であってもよい。この現像カートリッジ２８は、画像形成装置本体に対して着脱自在に構成されている。
【００６２】
また、本発明のトナー収納手段は、上述したトナーカートリッジや図１４に示した現像カートリッジ２８に限らず、図１５に示すように、像担持体しての感光体ドラム１とトナー収納手段でもある現像装置８とが一体化され、画像形成装置本体に対して着脱自在に構成されたプロセスカートリッジ２９であってもよい。
現像カートリッジ２８やプロセスカートリッジ２９を用いると、ユーザによる操作が容易になる。そして、現像カートリッジ２８やプロセスカートリッジ２９においても、それらに情報記録媒体を設けることにより、これに記録されているトナー種情報に基づき、図７に示したと同様の制御装置構成によってドット径制御関数値を設定し、単一の制御装置で、トナー粒径毎の最適な制御が実行できること、および上述の効果を奏することは無論である。
【００６３】
本発明の現像条件の一例を、下記に示しておく。
（ａ）メカ条件
現像スリーブ９と感光体ドラム１のギャップＧＰ：０．２〜０．６ｍｍ
現像スリーブ９とドクターブレード１２のギャップＧＤ：０．２〜０．８ｍｍ
現像スリーブ９の径：１０〜３０φ（ｍｍ）
感光体ドラム１の線速度：６０〜３５０ｍｍ／ｓｅｃ
感光体ドラム１の線速度に対する現像ローラ９の線速比：１．０〜２．５
（ｂ）現像剤仕様
キャリア：フェライト製で平均２０〜７０μｍ
トナー：ポリオール系樹脂、ポリエステル系樹脂製で、平均粒径３〜７μｍ
添加剤量：０．５〜３．０ｗｔ％
キャリア被覆率：２０〜１００％
帯電量（Ｑ／Ｍ）：１０〜５０μＣ／ｇ
【００６４】
（第２の実施形態）
図１６および図１７を参照して、第２の実施形態を説明する。
第２の実施形態は、第１の実施形態と比較して、図１６に示すように、現像器８とトナーカートリッジ２７との間に配設されたトナー補給経路４３内のトナー（図示せず）を入れ替える「補給経路のトナー入れ替えモード」を有する点、すなわち「補給経路のトナー入れ替えモード」を自動的に実行させる制御構成を有すると共に、この制御構成により図１７に示すフローチャートに係る「補給経路のトナー入れ替えモード」が自動的に実行可能に構成されている点が主に相違する。これら相違点以外の構成および動作については、第２の実施形態は第１の実施形態と同様である。
以下、第１の実施形態と相違する点を中心に第２の実施形態の制御構成について説明する。
【００６５】
第２の実施形態は、図７に示した第１の実施形態の制御構成と比較して、図１７に示すフローチャートに係る「補給経路のトナー入れ替えモード」を自動的に実行するために、トナーカートリッジ２７が着脱されるトナーカートリッジ受け部２５の構成をさらに具体的に明定した点、画像形成装置に各種指示を与えて操作するための操作部としての操作パネル４８の構成を明定した点、および制御装置３７に新たな制御機能を付与した点等が主に相違する。
図１６に簡略的かつ誇張して示すように、トナーカートリッジ受け部２５の下部には、トナーカートリッジ２７の最下部に形成されたトナー排出口から排出されるトナー（図示せず）をトナー補給経路４３に導入するのを遮断するトナー遮断手段としてのトナー搬送経路シャッター４５が回転可能に配設されている。同図において、４２はトナーカートリッジ受け部２５の下部に形成されトナー搬送経路シャッター４５を保持すると排出口を構成する口金受け部分であり、４６はトナーが外部に流出するのを防止するためのシール材であり、４７はトナー搬送経路シャッター４５を回転させる駆動モータである。トナー搬送経路シャッター４５は、トナーカートリッジ受け部２５の口金部に回転可能に支持されている。トナー搬送経路シャッター４５における図において紙面の奥側には、図示しない歯車が固着されていて、この歯車と噛み合う駆動歯車をその出力軸に固定された駆動モータ４７によって、回転駆動される。駆動モータ４７は、例えばステッピングモータからなる。
トナー搬送経路シャッター４５周りの細部は、例えば特開２００５−３７４７０号公報の図１〜図３に示されている回転シャッター（１６）周りの機構と同様である。トナー遮断手段は、上述したものに限らず、例えば特開２００７−１０１９０３号公報の図２および図３に開示されているエア吸引方式のトナー供給シャッター（１７１）、（１７２）周りの構成からなるものでもよいし、またバネとソレノイド等との組み合わせによってトナー遮断部材を開閉する機構等でもよい。
【００６６】
操作パネル４８には、画像形成装置に対して画像形成するための各種動作起動指示等のスタート信号等を生成する各種ボタンやキー等が配設されている他、画像形成装置における各装置部の動作・異常状態等を視認するための報知手段ないし表示手段としての液晶表示部４９が配設されている。
【００６７】
制御装置３７は、上記したと同様のマイクロコンピュータを具備していて、情報認識手段３１、駆動モータ４７、操作パネル４８、画像形成装置を構成する図示しない各装置部、各装置部に配設されている各種センサ等（後述の光学センサユニット等を含む）と電気的に接続されている。
制御装置３７の前記ＣＰＵは、前記入力ポートおよび入力回路等を介して、情報認識手段３１、操作パネル４８の前記ボタンやキー、各種センサと電気的に接続されている。また前記ＣＰＵは、前記出力ポートを介して、第１の実施形態と同様に露光エネルギーを調整するため図示しないレーザダイオード駆動回路に、図示しないモータ駆動回路を介して駆動モータ４７に、図示しない液晶駆動回路を介して操作パネル４８の液晶表示部４９に、また画像形成装置を構成する図示しない各装置部の制御対象駆動部分にそれぞれ電気的に接続されていて、これらに指令信号を送信する。
【００６８】
前記ＲＡＭは、前記ＣＰＵでの計算結果を一時記憶する他、信号の入出力を行う。前記ＲＯＭは、第１の実施形態と同様の記憶手段としての機能の他に、前記ＲＯＭには前記ＣＰＵが後述の制御機能を発揮するための図１７に示されているフローに関する動作プログラムおよび関係データ等が予め記憶されている。
【００６９】
制御装置３７の前記ＣＰＵは、第１の実施形態における第１の制御手段として機能する他、図１７に示すフローチャートに係る「補給経路のトナー入れ替えモード」を自動的に実行するように、現像器８の制御対象駆動手段（搬送スクリュー等を駆動するモータ等）および駆動モータ４７を制御する第２の制御手段として機能する。さらに具体的には、制御装置３７の前記ＣＰＵは、トナー平均粒径が異なるトナーカートリッジ２７（トナー収納手段）をセットした時に、トナー補給経路４３のトナーを排出する「トナー排出モード」をＡ秒実行するように、現像器８の制御対象駆動手段（搬送スクリュー等を駆動するモータ等）および駆動モータ４７を制御する第２の制御手段として機能する。
また、制御装置３７の前記ＣＰＵは、現像ユニット（図１４に示した現像カートリッジ２８または図１５に示したプロセスカートリッジ２９）を交換した後に、交換後の現像ユニットとトナー補給経路４３へ平均粒径が同じであるトナーを補給する「トナー補給モード」を自動的に実行するように、現像器８の制御対象駆動手段（搬送スクリュー等を駆動するモータ等）および駆動モータ４７を制御する制御手段としても機能する。さらに、制御装置３７の前記ＣＰＵは、新たにセットしたトナーカートリッジ２７（トナー収納手段）によるトナーの「トナー補給モード」実行後、濃度調整モードを自動的に実行するように、関連する制御対象駆動手段を制御する制御手段としても機能する。
【００７０】
次に、図１７に基づいて、制御装置３７の前記ＣＰＵ（以下、説明の簡明化のため判別が可能なとき単に「制御装置３７」という）の制御の下になされる補給経路のトナー入れ替えモードを説明する。
先ず、ユーザが使用したいトナー種類（トナーサイズ）のトナーを収納した図１６に示すトナーカートリッジ２７の何れかを画像形成装置本体側のトナーカートリッジ受け部２５にセット・装着すると（ステップＳ１）、第１の実施形態と同様に情報認識手段３１によってトナーカートリッジ２７の情報記録媒体３０に記録されている情報記録が読み取られる。そして、制御装置３７からの指令によって、トナーカートリッジ２７のトナー種類を操作パネル４８の液晶表示部４９に表示する。次いで、ステップＳ３に進み、前回のトナーカートリッジ２７と同じトナーカートリッジ２７か否か、すなわち前回のトナー種類と同じか否かを判断する。同じ場合は終了し、通常に使用可能とする。異なる場合はトナー入れ替えモードを行うこととなる。
【００７１】
トナー入れ替えモードは、まず、セットされたトナーカートリッジ２７内に収納されたトナーがトナー補給経路４３に供給されないようにすべく駆動モータ４７を所定ステップ数駆動すると、トナー搬送経路シャッター４５がオンしてトナーカートリッジ２７の下部排出口とトナー補給経路４３とのトナー導入経路が遮断される（ステップＳ４）。これにより新しいトナーカートリッジ２７のトナーがトナー搬送経路４３に漏れなくなる。
その後、「トナー排出モード」をＡ秒実行する（ステップＳ５）。このＡ秒の時間は、トナー搬送経路４３内の古いトナー（トナーカートリッジ２７交換前のトナー）が搬出終了する時間である。
「トナー排出モード」Ａ秒実行後、「トナー排出モード」が終了する（ステップＳ６）。この後、トナーカートリッジ２７内のトナーがトナー補給経路４３に供給・導入されるようにすべく駆動モータ４７を所定ステップ数駆動すると、トナー搬送経路シャッター４５がオフしてトナーカートリッジ２７の下部排出口とトナー補給経路４３とのトナー導入経路が開放・導通することにより（ステップＳ７）、セットされた新しいトナーカートリッジ２７のトナーを補給可能な状態にする。
【００７２】
次いで、図１６において、括弧を付して示すように現像器８が画像形成装置本体に対して着脱自在な現像ユニットとして、図１４に示した現像カートリッジ２８または図１５に示したプロセスカートリッジ２９を構成している場合、現像ユニット（現像カートリッジ２８やプロセスカートリッジ２９を含む概念である）交換可能であることを液晶表示部４９に表示し（ステップＳ８）、ユーザに交換を促す。
ユーザは液晶表示部４９に表示された内容を視認して、現像ユニットを交換する（ステップＳ９）。次いで、新しいトナーカートリッジ２７からの補給トナーが交換された現像ユニットに用いられるトナーと同じか否かを判断し（ステップＳ１０）、同じトナーの場合は「トナー補給モード」を行う（ステップＳ１１）。その後、濃度調整モードを行い、画像濃度や現像γ特性等を調整し（ステップＳ１２）、搬送経路のトナー入れ替えモードを終了することとなる。
【００７３】
ここで、「現像γ」とは、例えば特開２００７−３１６６０８号公報の段落「０１０３」〜「０１０４」に記載されている作像条件調整制御における技術内容を意味している。要約的に述べると、「現像γ」とは、現像ポテンシャルと、単位面積当たりにおけるトナー付着量との関係を示すグラフの傾きのことである。また、現像ポテンシャルとは、感光体表面の静電潜像と、現像バイアスが印加される現像スリーブ表面との電位差のことである。
電位設定値調整処理では、中間転写ベルト上に形成した階調パターン像(例えば各色についてそれぞれ１０階調パターン)における各基準パッチを光学センサユニットによって検知し、各基準パッチに対応する出カ電圧値に基づいて適切な現像γを算出する。そして、その算出結果に基づいて、狙いの画像濃度を得ることができる感光体一様帯電電位、現像バイアス、光書込強度を特定して、それぞれを設定値とする。
また、中間調光書込γ補正処理では、各基準パッチに対応する光学センサユニットからの出力電圧値と、狙いとする階調特性とのずれ量に基づいて、各階調に対応する光書込強度の設定値である書込γをそれぞれ補正することにより、狙いの階調特性が得られるようにする。
【００７４】
以上説明したとおり、第２の実施形態によれば、以下の効果を奏する。すなわち、現像ユニット（現像カートリッジ２８、プロセスカートリッジ２９）とトナーカートリッジとが別体の場合であっても、経時でも使用したいトナーを収納したトナーカートリッジをユーザが自由に選択することができる。つまり、画像形成装置・機械新品時だけでなく、経時にでもトナー平均粒径が異なるトナーを使用した高画質モードと通常着色度トナーを自由に選択でき、階調性に優れたカラー画像か低コストにするかをユーザが容易に選ぶことができる。
また、「トナー排出モード」を自動的に実行することにより、ユーザの操作を減らすことができる。好きな時に好きなトナー（例えば高画質トナーまたは低コストトナー）を供給するトナーカートリッジをセットすれば、自動的にトナーを使用できる状態にすることができる。
また、前回と異なるトナーカートリッジをセットし、トナー補給経路を清掃した後に、補給トナーと同じトナーの現像ユニットをセットした後にトナーを補給することで、補給経路内のトナーを有効利用できる。
さらに、トナーを入れ替えた直後でも、安定した画像濃度となり、良好な画像品質となる。
【００７５】
第２の実施形態に例示した本発明は、図１に示した画像形成装置に限らず、図１２および図１３に示した４連タンデム式のフルカラー画像形成装置等にも適用することが可能であることは無論である。
【００７６】
本発明を特定の実施形態や変形例等について説明したが、本発明が開示する技術的範囲は、上述した実施形態や変形例あるいは実施例等に例示されているものに限定されるものではなく、それらを適宜組み合わせて構成してもよく、本発明の範囲内において、その必要性および用途等に応じて種々の実施形態や変形例あるいは実施例を構成し得ることは当業者ならば明らかである。
【図面の簡単な説明】
【００７７】
【図１】本発明を適用する画像形成装置の要部の概略的な正面図である。
【図２】（ａ）、（ｂ）は、露光エネルギーとドット画像の潜像、現像時におけるドット径との関係を説明する図である。
【図３】（ａ）、（ｂ）は、微小ドットの再現性に関してトナーサイズ（粒径）と現像後ドットエッジ部の隙間との関係を説明する図である。
【図４】トナーサイズをパラメータとし、露光エネルギーと１ドット径との関係を調べた確認試験結果のグラフである。
【図５】図４の確認試験結果の写真である。
【図６】本発明の参考例において、コピー機種が異なる場合のトナーカートリッジの外観形状を簡略的に示す斜視図である。
【図７】参考例のトナーカートリッジ、その受け部、現像器、制御装置周りのブロック図を含む簡略的な正面図である。
【図８】参考例におけるトナー種に応じてドット径制御関数を設定した図表である。
【図９】参考変形例１において、同一シリーズの機種の場合のトナーカートリッジの外観形状を簡略的に示す斜視図である。
【図１０】参考変形例２において、カラー機等の異なる複数種のトナー種に応じてドット径制御関数を設定した図表である。
【図１１】参考変形例３のトナーカートリッジ、その受け部、現像器周りを示す簡略的な正面図である。
【図１２】本発明の参考変形例４を４連タンデム式のフルカラー画像形成装置に適用した要部の正面図である。
【図１３】本発明の参考変形例４を４連タンデム式のフルカラー画像形成装置に適用した図１２とは別の例の要部の正面図である。
【図１４】現像カートリッジを示す簡略的な断面図である。
【図１５】プロセスカートリッジを示す簡略的な断面図である。
【図１６】第１の実施形態のトナーカートリッジ、その受け部、現像器、制御装置周りのブロック図を含む簡略的な正面図である。
【図１７】第１の実施形態における補給経路のトナー入れ替えモード実行に係るフローチャートである。
【符号の説明】
【００７８】
１、１Ｂｋ、１Ｙ、１Ｍ、１Ｃ    感光体ドラム（像担持体）
３、３Ｂｋ、３Ｙ、３Ｍ、３Ｃ    レーザ光（潜像形成手段・露光手段）
４  レーザダイオード（光源）
８  現像器、現像装置（現像手段）
２５  トナーカートリッジ受け部（セット部）
２７  トナーカートリッジ（トナー収納手段）
２８  現像カートリッジ
２９  プロセスカートリッジ
３０  情報記録媒体
３１  情報認識手段
３７  制御装置（第１および第２の制御手段）
４８  操作パネル（操作部）
４９  液晶表示部（報知・表示手段）
Ｔ    トナー
【図１】
0005593588.tif 000002
【図２】
0005593588.tif 000003
【図３】
0005593588.tif 000004
【図４】
0005593588.tif 000005
【図５】
0005593588.tif 000006
【図６】
0005593588.tif 000007
【図７】
0005593588.tif 000008
【図８】
0005593588.tif 000009
【図９】
0005593588.tif 000010
【図１０】
0005593588.tif 000011
【図１１】
0005593588.tif 000012
【図１２】
0005593588.tif 000013
【図１３】
0005593588.tif 000014
【図１４】
0005593588.tif 000015
【図１５】
0005593588.tif 000016
【図１６】
0005593588.tif 000017
【図１７】
0005593588.tif 000018